(57)【要約】【課題】転送対象のデータ容量が少なくなくて済むようシステムを構築する。【解決手段】圧縮データを復元せずに再生するＭＰ３プレーヤ３０によって再生可能なメディアデータ及びＭＰ３プレーヤ３０に接続されるＰＣ２０及び携帯電話機４０にインストールされるプログラムとが記録されているＤＶＤ１０と、ＤＶＤ１０に記録されているプログラムに従ってＤＶＤ１０に記録されているメディアデータをコピー及びペーストするＰＣ２０と、ＰＣ２０によってコピー及びペーストされたメディアデータを再生するＭＰ３プレーヤ３０とを備える。【選択図】  図１
2008090934.tif 000002
【特許請求の範囲】
【請求項１】
圧縮データを復元せずに再生する移動型メディアデータ再生装置によって再生可能なメディアデータと、
前記移動型メディアデータ再生装置に付帯する機器にインストールされるプログラムとが記録されている記録媒体。
【請求項２】
前記機器は、パーソナルコンピュータであり、
前記プログラムは、前記パーソナルコンピュータに、記録媒体本体に記録されているメディアデータをコピー及びペーストさせる、請求項１記載の記録媒体。
【請求項３】
前記機器は、携帯電話機であり、
前記プログラムは、前記携帯電話機に、前記移動型メディアデータ再生装置に対するメディアデータの再生又は停止を指示させる、請求項１記載の記録媒体。
【請求項４】
前記メディアデータは、音声データ、画像データ、テキストデータのいずれかである、請求項１記載の記録媒体。
【請求項５】
パーソナルコンピュータに、記録媒体に記録されている、圧縮データを復元せずに再生する移動型メディアデータ再生装置によって再生可能なメディアデータをコピー及びペーストさせるプログラム。
【請求項６】
携帯電話機に、圧縮データを復元せずに再生する移動型メディアデータ再生装置に対して、メディアデータの再生又は停止の指示をさせるプログラム。
【請求項７】
請求項１記載の記録媒体と、
前記記録媒体に記録されているプログラムに従って当該記録媒体に記録されているメディアデータをコピー及びペーストするパーソナルコンピュータと、
前記パーソナルコンピュータによってコピー及びペーストされたメディアデータを再生する移動型メディアデータ再生装置とを備える、メディアデータ再生システム。
【請求項８】
さらに、前記記録媒体に記録されているプログラムに従って当該記録媒体に記録されているメディアデータの再生又は停止を指示する携帯電話機を備える、請求項７記載のメディアデータ再生システム。
【発明の詳細な説明】
【技術分野】
【０００１】
本発明は、記録媒体、プログラム及びメディアデータ再生システムに関し、特に、ＭＰ３プレーヤなどの移動型メディアデータ再生装置で再生可能な７００ＭＢ以上のメディアデータが記録されている記録媒体、プログラム及びメディアデータ再生システムに関する。
【背景技術】
【０００２】
特許文献１には、オーディオサーバから携帯用のオーディオデータ再生装置への楽曲データの転送を容易に行えるようにした技術が開示されている。
【０００３】
【特許文献１】特開２００６−１８５５９１号公報
【発明の開示】
【発明が解決しようとする課題】
【０００４】
しかし、特許文献１に記載されている発明は、オーディオサーバからオーディオデータ再生装置への転送対象が、相対的にデータ容量が小さい楽曲データであるので、実現性がある。
【０００５】
したがって、例えば、相対的にデータ容量が大きい、画像データや楽曲データを一度に大量転送する場合には、現状のネットワークの通信スペックでは、転送開始から転送完了までに数時間もの時間が必要となるので、特許文献１の手法は問題がある。
【０００６】
そこで、本発明は、転送対象のデータ容量が小さくて済むようなシステムを構築するための手法を提供することを課題とする。
【課題を解決するための手段】
【０００７】
上記課題を解決するために、本件発明の記録媒体は、
圧縮データを復元せずに再生する移動型メディアデータ再生装置によって再生可能なメディアデータと、
前記移動型メディアデータ再生装置に付帯する機器にインストールされるプログラムとが記録されている。
【０００８】
本発明によると、ユーザは、記録媒体に記憶されているメディアデータ等を、パーソナルコンピュータ等を経由して、移動型メディアデータ再生装置にインストールすることが可能となる。この場合には、ネットワークを通じたデータ転送を行わなくて済むという利点がある。
【０００９】
また、本発明によると、たとえ、ネットワークを通じてデータ転送を行う場合であっても、例えば上記メディアデータが楽曲データである場合には、その楽曲データに対応する歌詞などのテキストデータのみ転送対象のデータとすることも可能となる。テキストデータは、相対的にデータ容量が小さいため、ユーザは、歌詞程度の情報であれば、短時間でダウンロードが可能である。
【００１０】
ここで、前記機器は、パーソナルコンピュータとすることができ、この場合には、前記プログラムは、前記パーソナルコンピュータに、記録媒体本体に記録されているメディアデータをコピー及びペーストさせるものとする。
【００１１】
また、前記機器は、携帯電話機とすることができ、この場合には、前記プログラムは、前記携帯電話機に、前記移動型メディアデータ再生装置に対するメディアデータの再生又は停止を指示させるものとする。
【００１２】
もっとも、前記機器と移動型メディアデータ再生装置とが一体的であってもよい。つまり、例えば、移動型メディアデータ再生装置とパーソナルコンピュータなどの情報処理装置及び／又は携帯電話機との複合機に対して、上記プログラムがインストールされてもよい。
【００１３】
前記メディアデータは、音声データ、画像データ、テキストデータのいずれかである。最も好ましいのは、これらの全てが格納されている場合である。このような場合には、一例として、移動型メディアデータ再生装置で音声データを再生し、画像データ又はテキストデータを携帯電話機のディスプレイなどに表示させることも可能となる。或いは、画像データ等も、移動型メディアデータ再生装置のディスプレイに表示させるようにしてもよい。
【００１４】
また、本発明のプログラムは、パーソナルコンピュータに、記録媒体に記録されている、圧縮データを復元せずに再生する移動型メディアデータ再生装置によって再生可能なメディアデータをコピー及びペーストさせる、或いは、携帯電話機に、圧縮データを復元せずに再生する移動型メディアデータ再生装置に対して、メディアデータの再生又は停止の指示をさせるプログラムである。
【００１５】
さらに、本発明のメディアデータ再生システムは、
上記記録媒体と、
前記記録媒体に記録されているプログラムに従って当該記録媒体に記録されているメディアデータをコピー及びペーストするパーソナルコンピュータと、
前記パーソナルコンピュータによってコピー及びペーストされたメディアデータを再生する移動型メディアデータ再生装置とを備える。
【００１６】
さらに、上記システムに、前記記録媒体に記録されているプログラムに従って当該記録媒体に記録されているメディアデータの再生又は停止を指示する携帯電話機を備えると、既述のように、画像データ又はテキストデータを携帯電話機のディスプレイに表示させることも可能となるなどの副次的なメリットがあるので好ましい。
【発明の実施の形態】
【００１７】
以下、本発明の実施形態について、図面を参照して説明する。
図１は、本発明の実施形態のメディアデータ再生システムの模式的な構成を示すブロック図である。図１には、後述するメディアデータ及びプログラムが記録されているＤＶＤ１０と、ＤＶＤ１０に記録されているメディアデータ及びプログラムがインストールされるパーソナルコンピュータ（以下、「ＰＣ」と称する。）２０と、ＰＣ２０にインストールされたメディアデータを再生するＭＰ３プレーヤ３０と、ＭＰ３プレーヤ３０におけるメディアデータの再生又は停止をコントロールする携帯電話機４０と、バージョンアップされたプログラム及びメディアデータが蓄積されるサーバ５０と、サーバ５０と携帯電話機４０とを相互に接続するインターネットなどのネットワーク６０とを示している。
【００１８】
ここで、ＭＰ３プレーヤ３０は、圧縮されたメディアデータ（ＭＰ３ファイル）を復元することなく、再生することが可能な移動型メディアデータ再生装置である。なお、ＭＰ３プレーヤ３０は、移動型メディアデータ再生装置の一例であり、例えば、ＷＭＡファイルを再生するＷＭＡプレーヤ、ＡＡＣファイルを再生するＡＡＣプレーヤ、ＭＰ４ファイルを再生するＭＰ４プレーヤなど、更には、ハードディスクなどの記録媒体を内蔵した車載オーディオ装置（カーナビゲーション装置を含む）も、移動型メディアデータ再生装置に該当する。
【００１９】
ＤＶＤ１０に記録されているメディアデータは、ＭＰ３プレーヤ３０によって再生可能なデータである。このメディアデータは、音声データ、画像データ、テキストデータが含まれる。
【００２０】
たとえば、音声データには、歌手などの楽曲情報が含まれる。画像データには、映画の映像データ、プロモーションビデオの映像データ、ＤＶＤ１０に関するインフォメーション画像データなどが含まれる。テキストデータには、歌手などのアーティスト情報、歌詞情報などが含まれる。もっとも、テキストデータのように、データファイルの容量が小さいものについては、サーバ５０に格納しておき、携帯電話機４０によって、ダウンロードすることも一法である。
【００２１】
本実施形態では、後述するように、ＭＰ３プレーヤ３０によって音声データを再生し、携帯電話機４０で画像データ又はテキストデータを再生して、携帯電話機４０のディスプレイに画像データ等を表示させる。もっとも、画像データ等も、ＭＰ３プレーヤ３０で再生して、ＭＰ３プレーヤ３０のディスプレイに表示させてもよい。
【００２２】
ＤＶＤ１０に記録されているプログラムは、ＤＶＤ１０内のメディアデータを、ＰＣ２０にコピーさせ、かつ、ＰＣ２０にペーストさせるものとしている。このプログラムは、ＤＶＤ１０がＰＣ２０にセットされ、ＰＣ２０からＤＶＤ１０へのアクセスが開始されると、機知の手法によって、ユーザが操作することなく、このプログラムがＰＣ２０にインストールされるようにしている。もちろん、このプログラムは、ユーザの操作に従って、ＰＣ２０にインストールされるものであってもよい。
【００２３】
ＰＣ２０は、このプログラムがインストールされると、このプログラムに従って、ＤＶＤ１０内のメディアデータファイルをコピーし、予め用意されているミュージックフォルダなどにペーストする。或いは、ＤＶＤ１０内のメディアデータファイルを、ＰＣ２０のディスプレイに表示させ、ユーザに対して、インストール対象のファイルを選択させるようにしてもよい。なお、ペーストされたメディアデータは、ＭＰ３プレーヤ３０で再生可能なように、圧縮されたままのデータである。
【００２４】
また、ＤＶＤ１０に記録されているプログラムは、携帯電話機４０を、ＭＰ３プレーヤ３０に対するメディアデータの再生又は停止などを指示するコントローラとして機能させるものとしている。具体的には、このプログラムは、ユーザが携帯電話機４０をキー操作して入力した再生又は停止指示等を、携帯電話機４０に有線接続又は無線接続されているＭＰ３プレーヤ３０に対して、出力するものである。
【００２５】
つぎに、図１に示すメディアデータ再生システムの動作について説明する。まず、ユーザによってＤＶＤ１０がＰＣ２０にセットされると、ＰＣ２０はＤＶＤ１０に対してアクセスを開始し、その結果、ＤＶＤ１０に記録されているメディアデータ及びプログラムがＰＣ２０にインストールされる。
【００２６】
このため、一例として、ＰＣ２０は、上記プログラムを実行することによって、ＤＶＤ２０内のメディアデータのプロファイル、及び、携帯電話機４０にインストールされるプログラムファイルのプロファイルなどを読み込み、これらをＰＣ２０のディスプレイに一覧表示する。
【００２７】
したがって、ユーザは、ＰＣ２０のディスプレイを見ながら、ＭＰ３プレーヤ３０などによって再生をしたいメディアデータを選択し、ＰＣ２０にインストールすることが可能となる。
【００２８】
つぎに、ＰＣ２０とＭＰ３プレーヤ３０及び携帯電話機４０とを、ＵＳＢケーブルなどを通じて接続した状態で、既知の手法によって、ＰＣ２０にインストール済みのメディアデータ等を、ＵＳＢケーブルを通じてＭＰ３プレーヤ３０及び携帯電話機４０に転送する。
【００２９】
具体的には、ＭＰ３プレーヤ３０に対して楽曲データが転送され、携帯電話機４０に対して歌詞データなどのテキストデータ及びプログラムが転送される。
【００３０】
なお、一例として、楽曲データの転送とテキストデータ等の転送とは、対応付けされて行うようにしている。すなわち、たとえば、楽曲Ａ，Ｂ，Ｃの各データをＭＰ３プレーヤ３０に転送する場合には、これらをひとまとめとしたフォルダで送信する。そして、携帯電話機４０に対しても、このフォルダに対応する、歌詞Ａ，Ｂ，Ｃの各データ等を含むフォルダで送信する。
【００３１】
上記フォルダは、相互に、ファイルの再生順の対応が付けられており、ＭＰ３プレーヤのスピーカから楽曲データを出力させる際に、その楽曲データに対応する歌詞を携帯電話機４０のディスプレイに同期出力できるようにしている。
【００３２】
つづいて、メディアデータの再生手法について説明する。まず、携帯電話機４０で、インストールされているプログラムを起動する。
【００３３】
図２は、携帯電話機４０をコントローラとして用いる場合のディスプレイ４１の表示画面例を示す図である。ディスプレイ４１には、ＭＰ３プレーヤ３０へ指示を出力するための、ボリュームの大小及びフォルダ選択用のキー４１ａと、電源キー４１ｂと、楽曲等の一時停止キー４１ｃと、ミュートキー４１ｄと、楽曲等の早戻りキー４１ｅと、楽曲等の再生キー４１ｆと、楽曲等の早送りキー４１ｇと、楽曲等の前曲移動キー４１ｈと、楽曲等の停止キー４１ｉと、楽曲等の次曲移動キー４１ｊと、楽曲等のリピート再生キー４１ｋと、楽曲等の再生順番などを記憶するためのプログラムキー４１ｌと、楽曲等のランダム再生キー４１ｍとを示している。
【００３４】
各キー４１ａ〜４１ｍは、携帯電話機４０の数字キー４２と紐付けられている。この例では、数字キーの「１」と電源キー４１ｂとが紐付けられている。なお、各キー４１ａ〜４１ｍに割り当てる機能は、例示であり、これらに限定されるものではない。
【００３５】
例えば、ユーザが電源キー４１ｂを押下し、携帯電話機４０がこれを検知すると、携帯電話機４０は、ＭＰ３プレーヤ３０に対して、電源オンの指示信号を出力する。ＭＰ３プレーヤ３０は、この信号を入力すると、電源をオフからオンに切り替える。
【００３６】
つぎに、ユーザが再生キー４１ｆを押下し、携帯電話機４０がこれを検知すると、携帯電話機４０は、１曲目の楽曲データの歌詞データのファイルをオープンする。なお、その歌詞データが再生可能となった状態で待機状態となる。
【００３７】
また、携帯電話機４０は、ＭＰ３プレーヤ３０に対して、１曲目の楽曲データの再生の指示信号を出力する。ＭＰ３プレーヤ３０は、この信号を入力すると、楽曲データの１曲目のファイルをオープンする。なお、その楽曲データが再生可能となった状態で、待機状態となる。
【００３８】
つぎに、携帯電話機４０は、所定時間経過後に、歌詞データの再生を開始するとともに、ＭＰ３プレーヤ３０に対して、楽曲データの再生を開始するように再生開始命令する。この結果、ＭＰ３プレーヤ３０における楽曲データと、携帯電話機４０における歌詞データが同期再生できるようになる。
【００３９】
なお、同期再生の手法は、一例であって、上記内容に限定されるものではない。例えば、他の同期再生の手法として、以下のようなものが考えられる。すなわち、ＭＰ３プレーヤ３０に、再生準備の完了を検知でき、その検知がなされたときに携帯電話機４０に対して再生準備完了信号を出力する手段を設けておく。また、携帯電話機４０に、ＭＰ３プレーヤ３０から出力された再生準備完了信号を入力した場合に、上記の再生開始命令を出力する手段を設けておく。こうすると、上記の所定時間経過を待つことなく、再生準備の完了後すぐに、楽曲データの再生が可能となる。
【００４０】
もっとも、以下のような各種モードを設定等しておき、ユーザが適宜選択できるようにしておくことも可能である。
【００４１】
１．歌詞データを再生することなく楽曲データを再生する（楽曲再生モード）
２．楽曲データを再生することなく歌詞データを再生する（歌詞再生モード）、
３．楽曲データに音声信号が重畳されていないカラオケデータを用意しておき、カラオケデータを再生する（カラオケモード）、
４．カラオケデータ再生時に、携帯電話機４０の録音機能をオンして、マイクロフォンからユーザの音声を録音する（ボイスレコードモード）など。
【００４２】
なお、一例として、カラオケモードに代えて、カラオケデータをサーバ５０に格納しておき、サーバ５０から携帯電話機４０にカラオケデータをダウンロードし、そのカラオケデータを携帯電話機４０からＭＰ３プレーヤ３０に転送することも可能である（カラオケ練習モード）。さらに、ボイスレコードモードに加えて、ユーザの録音した音声をサーバ５０に送信して、サーバ５０に蓄積するようにしてもよい（ボイス転送モード）。
【００４３】
つづいて、ＰＣ２１などにインストール済みのプログラム等をバージョンアップする際の手順について説明する。
【００４４】
サーバ５０の管理者等は、ＤＶＤ１０に記録させて販売したプログラム等の改定版を公布する場合には、バージョンアップ版のプログラム等をサーバ５０に格納する。この状態で、ユーザが、携帯電話機４０を操作して、ネットワーク６０を介してサーバ５０にアクセスし、バージョンアップ版のプログラムをダウンロードする指示を行うと、サーバ５０から携帯電話機４０に対して、バージョンアップ版のプログラムがダウンロードされる。
【００４５】
通常、バージョンアップ版のプログラムファイルは、旧版のプログラムファイルとの差分ファイルとして作成されるため、ファイル容量が小さく、ダウンロード時間は相対的に短くて済む。
【００４６】
メディアデータの場合にも、このことは当てはまる。例えば、ＤＶＤ１０の記録対象データが特定の歌手の楽曲集であり、この歌手が新曲を発表した場合には、サーバ５０にその新曲データを格納する。この新曲データのファイルは、いわば上記差分ファイルに相当する。よって、サーバ５０から携帯電話機４０への、当該ファイルのダウンロード時間は相対的に短くて済む。
【００４７】
なお、正規にＤＶＤ１０を購入した者のみが、バージョンアップすることができるようにしてもよい。これを実現するための手法について、以下説明する。
【００４８】
図３は、サーバ５０からプログラム等をダウンロードする際の携帯電話機４０のディス
プレイ４１の表示画面例を示す図である。図３に示す画面は、ウェブページとしてサーバ５０に記憶しておくとよい。
【００４９】
或いは、図３に示す画面ファイルをＤＶＤ１０に記録しておき、ＰＣ２０を通じて、携帯電話機４０にインストールすることもできる。係る場合には、図３に示す画面と、サーバ５０の管理者等に割り当てられているメールのアドレスとが紐付けられており、図３に示す画面の「送信ボタン」等を押下すると、図３に示す画面への入力情報がサーバ５０の管理者等に送信されるようにしてある。
【００５０】
図３（ａ）には、メニュー画面例を示している。メニュー内容として、新曲データ・コンサート情報などを紹介する「歌詞・アーティスト紹介」、各種サービスを受けられるようにするための「会員登録」、既述の「カラオケ練習モード」及び「ボイス転送モード」、各楽曲の「譜面のダウンロード」、「新曲のダウンロード」などを用意している。
【００５１】
図３（ｂ）には、「会員登録」画面例を示している。ここでは、氏名の入力欄と、ＩＤ及びパスワードの入力欄と、メールアドレスの入力欄などとを用意している。ＩＤ及びパスワードは、「歌詞・アーティスト紹介」などを閲覧する場合に認証用に入力させるようにしておく。
【００５２】
なお、アーティスト紹介記事などに、コンサートチケット等の購入ボタンを設けておき、アーティスト紹介記事などを通じて、コンサートチケット等を購入できるようにしてもよい。係る場合には、会員登録等の際に、クレジットカード番号などを入力させ、コンサートチケット購入の際に、係るクレジットカードから決済を行うようにしてもよい。
【図面の簡単な説明】
【００５３】
【図１】本発明の実施形態のメディアデータ再生システムの模式的な構成を示すブロック図である。
【図２】携帯電話機４０をコントローラとして用いる場合のディスプレイ４１の表示画面例を示す図である。
【図３（ａ）】サーバ５０からプログラム等をダウンロードする際の携帯電話機４０のディスプレイ４１の表示画面例を示す図である。
【図３（ｂ）】サーバ５０からプログラム等をダウンロードする際の携帯電話機４０のディスプレイ４１の表示画面例を示す図である。
【符号の説明】
【００５４】
ＤＶＤ１０、ＰＣ２０、ＭＰ３プレーヤ３０、携帯電話機４０、ディスプレイ４１、数字キー４２、サーバ５０、ネットワーク６０
【図１】
2008090934.tif 000003
【図２】
2008090934.tif 000004
【図３ａ】
2008090934.tif 000005
【図３ｂ】
2008090934.tif 000006